(57)【要約】【課題】競売の対象とする商品を展示会で使用された什器とし、入札資格者を展示会場に来場した者とするオークションシステムの提供を目的とする。【解決手段】課題の目的を達成するために、展示会入場者コードが表示された入場者コード表示担体と、展示会場に設置された入場者コード読取装置と、顧客通信端末と、競売情報管理サーバとからなり、競売情報管理サーバは、競売の入札を希望する顧客通信端末に対し展示会場で使用した入場者コードの送信を要求し、前記顧客通信端末から受信した前記入場者コードと同一のコードを登録されている展示会場で読み取った入場者コードの中から検索し、存在が確認された場合に、前記顧客通信端末に対し入札を許可するオークションシステムを提供する。【選択図】  図１
2004227039.tif 000002
【特許請求の範囲】
【請求項１】
通信回線を利用して、展示会場で使用された什器を競売するシステムであって、
展示会入場者コードが表示された入場者コード表示担体と、展示会場に設置された入場者コード読取装置と、顧客通信端末と、競売情報管理サーバとからなり、
入場者コード読取装置は、展示会場で入場者コード表示担体に表示された入場者コードを読み取る読取手段と、読み取った入場者コードを競売情報管理サーバに送信する送信手段を有し、
顧客通信端末は、少なくとも入場者コードを入力する入場者コード入力手段と、ネットを介して競売情報管理サーバと交信する交信手段を有し、
競売情報管理サーバは、少なくとも入場者コード生成・送信手段と、入場者コード読取装置から送信された入場者コードの登録を行なう入場者コード登録手段と、顧客通信端末に競売入札情報を送信し顧客通信端末と交信する送受信手段と、顧客通信端末から受信した入場者コードを検索する検索手段とを有し、
競売情報管理サーバは、競売の入札を希望する顧客通信端末に対し展示会場で使用した入場者コードの送信を要求し、前記顧客通信端末から受信した前記入場者コードと同一のコードを登録された入場者コードの中から検索し、存在が確認された場合に、前記顧客通信端末に対し入札を許可することを特徴とするオークションシステム。
【請求項２】
入場者コードを表示する表示担体は携帯電話であることを特徴とする請求項１に記載のオークションシステム。
【請求項３】
入場者コードを表示する表示担体は入場券であることを特徴とする請求項１に記載のオークションシステム。
【請求項４】
入場者コードはバーコードで表示されていることを特徴とする請求項１に記載のオークションシステム。
【請求項５】
入場者コードは２次元コードで表示されていることを特徴とする請求項１に記載のオークションシステム。
【請求項６】
競売情報管理サーバは、入場者コード生成・送信手段によって生成した入場者コードを、希望する表示担体に送信することを特徴とする請求項２に記載のオークションシステム。
【発明の詳細な説明】
【０００１】
【発明の属する技術分野】
本発明は、展示会で使用された什器をインターネットで競売するオークションシステムに関する。
【０００２】
【従来の技術】
近年コンピュータを使用し、ネットワーク上で競売を行なうシステムが提案されている。
例えば、特許文献１には、ネットワークを介して相互に接続されたサーバクライアントシステムにおいて、サーバコンピュータは、商品の価格を順次下げて、各クライアントコンピュータからの入札を受け付け、ある価格において複数の入札要求があった場合に、その入札価格において、何れか１の入札者を落札者に決定し、サーバコンピュータは、その落札者に落札確認情報を送信し、オークションを終了する、と記載されている。
また、特許文献２には、ネットワークを介してオークションを行なうシステムにおいて、参加者の購買意欲をより刺激するために、会員限定Ｗｅｂサーバは、会員の応札を受け付け、応札価格が出品者の設定した価格を越えた商品を、その商品の流札が無くなったことが確定した状態である売り切り状態に移行させる。その売り切り状態は、“売り切り”を配置した出品者情報検索画面を会員限定メニュー画面上の“出品者情報検索／応札”をユーザがクリックしたパーソナルコンピュータに送信することでそのユーザに通知する、と記載されている。
また、特許文献３には、オークションの入札者を制限するシステムとして、サーバーはオークション参加者に対して入札を受け付けると、入札者制限型オークションでない場合は、登録されたユーザ名及びパスワードのみを入力するためのページを送出し、入札者制限型のオークションの場合は、キーワードを入力するページを表示する。キーワードが正しい場合、通常の入札処理を行う、と記載されている。
【０００３】
【特許文献１】
特開２００１−２８３０４３号公報
【特許文献２】
特開２００１−３０６８８１号公報
【特許文献３】
特開２００１−３１２６２５号公報
【０００４】
【発明が解決しようとする課題】
これら開示されている技術の中で発明者は、インターネット上での入札資格の設定方法について提案している。
本発明では、競売の対象とする商品を展示会で使用された什器とし、入札資格者を展示会場に来場した者とするオークションシステムの提供を目的とする。
【０００５】
【課題を解決するための手段】
前記課題の目的を達成するために、本発明のオークションシステムの請求項１に記載の発明は、通信回線を利用して、展示会場で使用された什器を競売するシステムであって、展示会入場者コードが表示された入場者コード表示担体と、展示会場に設置された入場者コード読取装置と、顧客通信端末と、競売情報管理サーバとからなり、入場者コード読取装置は、展示会場で入場者コード表示担体に表示された入場者コードを読み取る読取手段と、読み取った入場者コードを競売情報管理サーバに送信する送信手段を有し、顧客通信端末は、少なくとも入場者コードを入力する入場者コード入力手段と、ネットを介して競売情報管理サーバと交信する交信手段を有し、競売情報管理サーバは、少なくとも入場者コード生成・送信手段と、入場者コード読取装置から送信された入場者コードの登録を行なう入場者コード登録手段と、顧客通信端末に競売入札情報を送信し顧客通信端末と交信する送受信手段と、顧客通信端末から受信した入場者コードを検索する検索手段とを有し、競売情報管理サーバは、競売の入札を希望する顧客通信端末に対し展示会場で使用した入場者コードの送信を要求し、前記顧客通信端末から受信した前記入場者コードと同一のコードを登録された入場者コードの中から検索し、存在が確認された場合に、前記顧客通信端末に対し入札を許可することを特徴とするものである。
【０００６】
また、請求項２に記載の発明は、請求項１に記載の発明において、入場者コードを表示する表示担体は携帯電話であることを特徴とするものである。
【０００７】
また、請求項３に記載の発明は、請求項１に記載の発明において、入場者コードを表示する表示担体は入場券であることを特徴とするものである。
【０００８】
また、請求項４に記載の発明は、請求項１に記載の発明において、入場者コードはバーコードで表示されていることを特徴とするものである。
【０００９】
また、請求項５に記載の発明は、請求項１に記載の発明において、入場者コードは２次元コードで表示されていることを特徴とするものである。
【００１０】
また、請求項６に記載の発明は、請求項２に記載の発明において、競売情報管理サーバは、入場者コード生成・送信手段によって生成した入場者コードを希望する表示担体に対し送信することを特徴とするものである。
【００１１】
【発明の実施の形態】
以下、図面を参照して本発明のオークションシステムついて説明する。
以下の説明では、発明の名称以外の部分では、“オークション”を“競売”という。
【００１２】
図１は、本発明のオークションシステムの概念図、図２は、本発明のオークションシステムに使用される装置の機能を示すブロック図、図３は、表示担体が携帯電話の場合の入札実行手順図、図４は、表示担体が入場券の場合の入札実行手順図、である。
【００１３】
図１を参照して本発明のオークションシステムについて説明する。
什器類は、競売される前は、展示会場で展示物を展示するために、また一部展示物として展示されていたものである。
顧客は展示会を見学するために入場券６を購入する。入場券６には入場者管理のための入場者コード７が形成されている。
また、展示会の主催者は、入場券を入手可能な場所から離れている地域の顧客のために、入場券を携帯電話で予約購入することができるようにしており、携帯電話で入場券を購入すると携帯電話５の表示部５２に入場者コード７が表示される。顧客は携帯電話５の操作部５１を操作して、入場者コード７を携帯電話のメモリ（表示せず）に格納する。
【００１４】
本実施の形態では、入場者コード７として、記憶容量が大きく、偽造防止のための暗号化が可能な２次元コードを使用している。
また、２次元コードと一緒に、２次元コードにリンクした識別情報が表示されている。
【００１５】
顧客は、入場券６、または携帯電話５を持って展示会場を訪れる。
展示会場の入口には入場者コード読取装置４が設置されており、顧客は展示場に入るために入場券６、または携帯電話５の入場者コードが形成、または表示されている面を入場者コード読取装置４のスキャナ（表示せず）側に合わせて翳す。
入場者コード読取装置４は、入場者コードを読み取り、入場者読取装置４に格納されている発行済入場者コードと照合し、発行済であることが確認された入場者コードの場合は、微かな音を発して入場者コードを読み取ったことを入場者に知らせる。
発行されていない入場者コードの場合は、警報を鳴らして入場コードの確認を促す。
読取装置４がオンライン型の場合は、照合された照合済入場者コードが所定の件数になると競売情報管理サーバ１に送信する。
読取装置４がスタンドアロン型の場合は、確認済入場者コードを所定の記録媒体に記録し、原則として展示会が終了した時点で競売情報管理サーバ１の情報格納部の入場者コード格納ファイルに格納する。
【００１６】
展示期間中に展示場で使用した什器を競売する場合もある。その場合、読取装置４がスタンドアロン型の場合は、読み取った照合済入場者コードを所定の記録媒体から所定のタイミングで競売情報管理サーバ１の情報格納部の入場者コード格納ファイルに格納する。
入場者に対しては、入場してから前記所定時間後であれば競売に参加できる旨伝える。
【００１７】
入場者コードを受信した競売情報管理サーバは、入場者コードの管理と、競売情報の管理を行なう。
入場者コードの管理の一つとして入場者コードの生成と配信がある。
本システムでは、入場券に形成される入場者コードと、携帯電話に格納される入場者コードがあり、同一の番号が配信されないように管理される。
発行された入場者コードは競売情報管理サーバに接続された情報格納部の入場者コード格納ファイルに格納される。
【００１８】
展示会場の入場者コード読取装置４で読み取られた照合済入場者コードは、競売情報管理サーバの情報格納部の入場者コード格納ファイルに格納される。
【００１９】
展示会出展者は、展示会を開催している国の企業、または団体の場合や、外国の企業、または、団体の場合などさまざまである。
したがって展示会で使用される什器（２）は、展示会専用に作製された什器や、外国製の什器があって展示会に訪れた見学者にとっては珍しい存在となる。
見学者は、展示会の事前の説明や、入場券の表面の記載によって展示の際に使用された什器は、展示期間が終了した後にインターネットなどで競売されることを知る。
また、競売に参加するためには入場者コードが必要であることを知る。
そのために、競売によって前記什器を購入したいと思っている顧客は、入場の際に入場者コード読取装置で読み取らせた入場券や、携帯電話などに格納されている入場者コードを持ち帰る。
【００２０】
競売品２は、設定された低価格から競売を始めるか、新品の販売価格から競売を始めるか選択される。
競売は、顧客通信端末３や、携帯電話５の表示画面に表示された情報によって進められる。
入札者の入札資格は、顧客通信端末３や、携帯電話５から送信された入場者コードによって決定される。
即ち、顧客通信端末３や、携帯電話５から送信された入場者コードが、競売情報管理サーバの、情報格納部の入場者コード格納ファイルに格納されていれば入札資格が与えられる。
顧客通信端末は、例えば、パーソナルコンピュータのように、通信機能を有し、競売情報管理サーバが配信する競売画面が表示可能で、操作部によって入場者コードを入力、送信できる機能を有していれば良い。
【００２１】
図２を参照して、本発明のオークションシステムに使用される装置の機能について説明する。
本発明のオークションシステムで使用される主な装置は、入場者コード読取装置４、競売情報管理サーバ１、顧客通信端末３である。
【００２２】
顧客は展示会見学のために入場券６を購入する。入場券６には入場者管理のための入場者コード７が形成されている。
入場券を入手可能な場所から離れている地域の顧客は、入場券を携帯電話で予約購入することができるようになっており、携帯電話で購入した“入場券”によって携帯電話の表示部に入場者コード７が表示される。
本実施の形態では、入場者コード７として２次元コードを使用しているが、これに拘るものではない。
【００２３】
入場者コード読取装置４は、入場者コード読取手段４１と、入場者コード照合手段４２と、入場者コード送信手段４３を有している。
読取装置４は、多くの場合、展示会場の入口に設置されおり、顧客は展示場に入るために入場券の入場者コードが形成されている面、または携帯電話の入場者コードが表示されている面を入場者コード読取装置４の入場者コード読取手段４１で読み取らせる。
入場者コード読取手段４１は、入場者コードを読み取ると、音や、音声で読取結果を入場者に知らせる。
入場者コード読取装置４は、入場者コード照合手段４２を有し、入場者コードの真偽を入場者コード毎にチェックしている。
入場者コードのチェックは、入場者コード読取装置４に予め記憶させた発行済入場者コードと読み取られた入場者コードとの照合により行なう。
入場者コード読取手段４１によって読み取って一時保管している照合済入場者コードが所定の件数になると入場者コード送信手段４３は、競売情報管理サーバ１に送信する。
読取装置４がスタンドアロン型の場合は、読み取った照合済入場者コードを所定の記録媒体に記録し展示期間が終了した時点で競売情報管理サーバ１の情報格納部の入場者コード格納ファイル格納する。
【００２４】
競売情報管理サーバ１は、少なくとも入場者コード管理手段と、競売情報管理手段を有している。
入場者コード管理手段は、入場者コード生成手段１２、入場者コード送受信手段１３、入場者コード登録手段１４で構成される。
まず、入場者コード生成手段１２は、入場券の表面に形成する入場者コード７を生成する。
また、携帯電話による予約者に対しては生成した入場者コード７を入場者コード送受信手段１３によって送信する。
発行された入場者コードは、競売情報管理サーバに接続された入場者コード保管手段１１によって情報格納部の入場者コード格納ファイルに格納される。
また、発行された入場者コードは、入場者コード読取装置の記憶部にも格納される。
【００２５】
展示会場の入場者コード読取装置４で読み取られた照合済入場者コードは、競売情報管理サーバ１の入場者コード送受信手段１３によって受信され、競売情報管理サーバ１に接続された情報格納部の入場者コード格納ファイルに格納される。
【００２６】
競売情報管理手段は、入場者コード検索手段１５、入札許可手段１６、入札画面配信手段１７で構成される。
競売の入札資格は、顧客通信端末３等の送信画面から送信された入場者コードによって決定される。
即ち、顧客通信端末３から送信された入場者コードと同一の照合済入場者コードが競売情報管理サーバ１の情報格納部の入場者コード格納ファイルの中に存在するか否か、入場者コード検索手段１５によって確認される。
情報格納部の入場者コード格納ファイルの中に、前記同一の照合済入場者コードが格納されていれば、入札許可手段によって入札者に対して入札資格が与えられる。
【００２７】
顧客通信端末３は、少なくとも入札画面の表示手段３３、競売情報管理サーバ１との交信手段３２、入場者コード入力手段３１を有している。
顧客通信端末３の入場者コード入力手段３１は、入札のために保管されている入場者コードを表示手段３３により表示された入札画面の所定の入力枠に入力する。
交信手段３２によって、顧客通信端末１に入力された入場者コードは、競売情報管理サーバ１に送信される。
【００２８】
図３を参照して、表示担体が携帯電話の場合の入札実行手順について説明する。
手順の説明では、手順をステップ（Ｓ）で表示する。
携帯電話で入場券を購入する顧客は、競売情報管理サーバに接続する所定の電話番号に電話をし、展示会入場申込を行なう（Ｓ３１）。
競売情報管理サーバは、入場者コードを生成し前記携帯電話に送信する（Ｓ３２）。
携帯電話は、競売情報管理サーバから送信された入場者コードを受信し、所定の格納部に格納する（Ｓ３３）。
展示会場の入口で、携帯電話の表示部に入場者コードを表示し、入場者コード読取装置で入場者コードを読み取らせる（Ｓ３４）。
競売情報管理サーバは、入場者コードを受信して、競売情報管理サーバに接続された情報格納部の入場者コード格納ファイル１０に格納し登録する（Ｓ３５）。
入札を希望する顧客は、携帯電話によって競売情報管理サーバの入札画面にアクセスし、入札申請を行う（Ｓ３６）。
携帯電話は、情報格納部に格納している入場者コードを競売情報管理サーバに送信する（Ｓ３７）。
競売情報管理サーバは、入場者コードを受信して、Ｓ３５で競売情報管理サーバに接続された情報格納部の入場者コード格納ファイル１０に格納された入場者コードの中に同一の入場者コードが存在するか否か検索する（Ｓ３８）。
検索の結果、Ｓ３８で同一の入場者コードが存在した場合は、携帯電話に入札許可情報を送信する（Ｓ３９）。
顧客は携帯電話によって、入札を実行する（Ｓ４０）。
顧客通信端末を使用して、顧客通信端末の入力手段によって携帯電話に格納された２次元コードにリンクした識別情報によって入場者コードを入力し交信することもできる。
【００２９】
図４を参照して、表示担体が入場券の場合の入札実行手順について説明する。
手順の説明では、手順をステップ（Ｓ）で表示する。
また、顧客、顧客通信端末が行なう手順で、顧客の実行手段が行なう手順については１重枠で、顧客通信端末が行なう手順については２重枠で表示する。
競売情報管理サーバは、入場者コードを生成する（Ｓ４１）。
入場券作製業者は入場者コードを入場券に形成する。
顧客は、入場券を入手する（Ｓ４２）。
展示会場の入口の入場者コード読取装置で入場券に形成された入場者コードを読み取らせる（Ｓ４３）。
読み取られた入場者コードを入場者コード読取装置の中に格納されている発行済入場者コードと照合し、正しければ入場者コード読取装置の中に一時保管する。競売情報管理サーバは、入場者コード読取装置から送信された照合済入場者コードを受信し、競売情報管理サーバに接続された情報格納部の入場者コード格納ファイル１０に格納し登録する（Ｓ４４）。
入札を希望する顧客は、顧客通信端末によって競売情報管理サーバの入札画面にアクセスし、入札申請を行う（Ｓ４５）。
入力手段によって顧客通信端末に２次元コードにリンクした識別情報を入場者コードとして入力し、競売情報管理サーバに送信する（Ｓ４６）。
競売情報管理サーバは、入場者コードにリンクした識別情報を受信して入場者コードを特定し、Ｓ４４で競売情報管理サーバに接続された情報格納部の入場者コード格納ファイル１０に格納された入場者コードの中に同一の入場者コードが存在するか否か検索する（Ｓ４７）。
検索の結果、Ｓ４７で同一の入場者コードが存在した場合は、顧客通信端末に入札許可情報を送信する（Ｓ４８）。
顧客通信端末または携帯電話は、入札を実行する（Ｓ４９）。
【００３０】
【発明の効果】
本発明により、
１）競売を行なう際に、入札資格について複雑なルールや、システムを作成する必要がない。
２）展示会主催者側は、展示会で使用された什器を展示会に来場した入場者に競売することができ、競売に参加する側も什器を確認しているために安心して入札に参加できる。
３）競売について事前に知らせることによって、入場者の増加を計ることができ、入札のために展示会入場券が最後まで入場者に所持される比率が高まることによって、会場内または周辺に塵として捨てられる比率を減少し、また、入場券に商品の宣伝表示を行っている場合は商品の宣伝効果が持続する。
【図面の簡単な説明】
【図１】本発明のオークションシステムの概念図である。
【図２】本発明のオークションシステムに使用される装置の機能を示すブロック図である。
【図３】表示担体が携帯電話の場合の入札実行手順図である。
【図４】表示担体が入場券の場合の入札実行手順図である。
【符号の説明】
１      競売情報管理サーバ
２      競売品
３      顧客通信端末
４      入場者コード読取装置
５      携帯電話
６      入場券
７      入場者コード
１０    情報格納部の入場者コード格納ファイル
１１    入場者コード保管手段
１２    入場者コード生成手段
１３    入場者コード送受信手段
１４    入場者コード登録手段
１５    入場者コード検索手段
１６    入札許可手段
１７    入札画面配信手段
３１    入場者コード入力手段
３２    送受信手段
３３    表示手段
４１    入場者コード読取手段
４２    入場者コード照合手段
４３    入場者コード送信手段
５１    操作部
５２    表示部
５３    送信部
【図１】
2004227039.tif 000003
【図２】
2004227039.tif 000004
【図３】
2004227039.tif 000005
【図４】
2004227039.tif 000006